(57)【要約】【課題】通常の婦人用ショーツとして全く違和感無く着用でき、日頃着用しているショーツであるにも拘わらす、咄嗟に応急処置ができ、ショーツを汚す心配もなく、安心して急場をしのぐことができる婦人用ショーツを提供すること。【解決手段】前身頃１と後見頃２と、前身頃１と後見頃２との間に位置するクロッチ部３が外側と肌と接する内側の２枚の布帛からなる二重構造を有しており、肌と接する内側の布帛の臀部側に、スリット４が備えられていることを特徴とするものである。【選択図】  図１
2005168651.tif 000002
【特許請求の範囲】
【請求項１】
前身頃と、後見頃と、前記前身頃と前記後見頃との間に位置するクロッチ部とを有し、前記クロッチ部を外側と肌と接する内側の２枚の布帛からなる二重構造とし、肌と接する内側の布帛の臀部側にスリットを設けたことを特徴とする婦人用ショーツ。
【請求項２】
前身頃と、後見頃と、前記前身頃と前記後見頃との間に位置するクロッチ部とを有し、前記クロッチ部の肌に接する内面における臀部側に帯状物を設け、前記帯状部の一縁を開放して前記クロッチ部の内面と前記帯状物との間に収容部を形成したことを特徴とする婦人用ショーツ。
【請求項３】
前身頃と、後見頃と、前記前身頃と前記後見頃との間に位置するクロッチ部とを有し、前記クロッチ部の肌に接する内面に帯状物を設け、前記帯状部の臀部側にスリットを設けたことを特徴とする婦人用ショーツ。
【発明の詳細な説明】
【技術分野】
【０００１】
本発明は、生理用ショーツを着用せず、急に生理になった時に、即時に対応できる婦人用ショーツに関する。
【背景技術】
【０００２】
従来の婦人用ショーツは生理時には使用されず、下着として単独に使用されていた。女性は、おりものの多い時や生理になりそうな時は、衣服に付着するのが心配で、前もって生理用ショーツやナプキンを携帯している。また、ナプキンや生理用ショーツを携帯していても、その時すぐトイレに行けない時が多く、ショーツを汚すことが多々あった。
【０００３】
従来例にあっては、別途用意していた生理用ナプキンを身体に密着させ、装着性及び着用感に優れた生理用ショーツ（特許文献１参照）が紹介されている。また、生理用ナプキン用ポケットを有する婦人用ショーツ（特許文献２参照）が提案されており、目立たずに携行できることと、取り替えも簡単に行えるというものが紹介されているが、いずれも生理用ナプキンを常に用意しておく必要があった。
【０００４】
【特許文献１】特開２００１−２７６１３０号公報
【特許文献２】特開２０００−３０３２０５号公報
【発明の開示】
【発明が解決しようとする課題】
【０００５】
このようにナプキンや生理用ショーツを目立たずに携行できても、携帯するのは面倒であるという問題が指摘されていた。急に生理になった時やなりそうなときは、応急処置として、ポケットティッシュやトイレットペーパーなどをあてがっていたが、動くと後ろにずれてしまい、ショーツを汚し、非常に不快感や不便を感じていた。
【０００６】
本発明は、かかる従来技術の背景に鑑み、日頃着用しているショーツであるにも拘わらず、咄嗟に応急処置ができ、かつ、後ろにずれることも、ショーツを汚す心配もなく、安心して急場をしのぐことができる婦人用ショーツを提供せんとするものである。
【課題を解決するための手段】
【０００７】
本発明の請求項１に記載の婦人用ショーツは、前身頃と、後見頃と、前記前身頃と前記後見頃との間に位置するクロッチ部とを有し、前記クロッチ部を外側と肌と接する内側の２枚の布帛からなる二重構造とし、肌と接する内側の布帛の臀部側にスリットを設けたことを特徴とする。
【０００８】
また、本発明の請求項２に記載の婦人用ショーツは、前身頃と、後見頃と、前記前身頃と前記後見頃との間に位置するクロッチ部とを有し、前記クロッチ部の肌に接する内面における臀部側に帯状物を設け、前記帯状部の一縁を開放して前記クロッチ部の内面と前記帯状物との間に収容部を形成したことを特徴とする。
【０００９】
また、本発明の請求項３に記載の婦人用ショーツは、前身頃と、後見頃と、前記前身頃と前記後見頃との間に位置するクロッチ部とを有し、前記クロッチ部の肌に接する内面に帯状物を設け、前記帯状部の臀部側にスリットを設けたことを特徴とする。
【発明の効果】
【００１０】
本発明の請求項１に記載の婦人用ショーツによれば、二重構造となっているクロッチ部の内側の布帛にスリットが設けられているので、このスリットを開口として外側布帛と内側布帛との間に収容部が形成される。急に生理になった時などの緊急時に、スリットを通してこの収容部（外側布帛と内側布帛の間の収容部）にティシュペーパーなどをあてがう事により、ショーツを汚すこと無く、不快感や不便を取り除き、安心して、その急場をしのぐことができる。
【００１１】
また、本発明の請求項２に記載の婦人用ショーツによれば、クロッチ部の肌に接する内面に帯状物を設け、この帯状部の一縁を開放しているので、クロッチ部の内面と取り付けた帯状物との間に収容部が形成される。従って、上述したと同様に、開放された一縁を通してこの収容部にティシュペーパーなどをあてがうことができる。
【００１２】
また、本発明の請求項３に記載の婦人用ショーツによれば、クロッチ部の肌に接する内面に帯状物を設け、この帯状部の臀部側にスリットを設けているので、クロッチ部と帯状物との間にスリットを開口とする収容部が形成される。従って、上述したと同様に、スリットを通してこの収容部にティシュペーパなどをあてがうことができる。
【発明を実施するための最良の形態】
【００１３】
本発明は、前記課題、つまり咄嗟に応急処置ができ、かつ、後ろにずれることも、ショーツを汚す心配もなく、安心して急場をしのぐことができるショーツについて、鋭意検討し、婦人用ショーツの股下部のクロッチ部が二重構造になっているものについては、内側の布帛にスリットを設けることによって収容部を形成することができ、またクロッチ部の内面に一縁を開放した帯状物を設けることによっても収容部を形成することができ、更にはクロッチ部の内面に帯状部を設け、この帯状物にスリットを形成することによっても収容部を形成することができ、このような収容部にテッシュペーパーなどを収容して使用することによって、かかる課題を一挙に解決することを究明したものである。
【００１４】
以下、本発明を図面に基づいて説明する。図１は、本発明に従う第１の実施形態の婦人用ショーツを展開して示す展開図である。
【００１５】
図１において、図示の婦人用ショーツは、前身頃１と、後見頃２と、前身頃１と後見頃２との間に位置するクロッチ部３を備えている。この第１の実施形態では、クロッチ部３が外側布帛（図示せず）と肌に接触する内側布帛１１との二重構造で構成されている。
【００１６】
この第１の実施形態では、収容部５を形成するために内側布帛１１にスリット４が形成され、このスリット４はクロッチ部３の横方向に幾分湾曲して延びている。このスリット４は横方向に直線状に形成するようにしてもよい。
【００１７】
このようなスリット４について、クロッチ部３の肌と接する内側の布帛（ヨコ方向）において、スリット４の開口幅はクロッチ部３の全幅にわたって設けるようにしてもよく、脚ぐり部８，９から１／４を残し、残りを開放しても良い。
【００１８】
又スリット４は、クロッチ部３において、股下部後端縁７より例えば３ｃｍ会陰部側によった位置に設けられているものである。このスリット４は股下部後端縁７より１〜６ｃｍの適宜の部位に設けることができ、ショーツのサイズなどによって適宜設定することができる。このスリット４の位置が股下部後端縁７より１ｃｍ以下であるとペーパー１０などが保持されにくく、また股下部後端縁７より６ｃｍ以上であると会陰部側によりすぎ、ショーツを汚す可能性がある。
【００１９】
このように内側布帛１１にスリット４を設けると、このスリット４を開口として外側布帛（図示せず）と内側布帛１１との間に収容部が形成される。従って、スリット４による開口を通してこの収容部５にティッシュぺーパーなどのペーパーを容易に収容することができ、急に生理になった時などの緊急時に、図１に示すように、この収容部５にペーパー１０の一端部を収容してクロッチ部３の内側布帛１１の内側にこのペーパー１０をあてがうことにより、ショーツを汚すこと無く、不快感や不便を取り除き、安心してその急場をしのぐことができる。
【００２０】
次に、図２を参照して、本発明に従う第２の実施形態の婦人用ショーツについて説明する。図２において、図示の婦人用ショーツは、前身頃１と、後見頃２と、前身頃１と後見頃２との間に位置するクロッチ部３を備えている。この第２の実施形態では、クロッチ部３に扇形の帯状物（収容部）１５を縫いつけて収容部５を形成している。収容部５は、股下部後端縁７と、あしぐり部８、９の三方をクロッチ部３にあわせて縫製し、会陰部側である一縁開口部１２を開放するように形成されている。
【００２１】
かかる帯状物１５は扇形で、帯状物１５の幅（ヨコ方向）がクロッチ部３のほぼ全幅（ヨコ方向）で、その長さ（タテ方向）が例えば３ｃｍに形成されている。帯状物１５は長方形で形成しても良い。又、帯状物１５の幅はクロッチ部３の幅（ヨコ方向）と同じで良く、このような大きさにすることによって、帯状物１５の縫製もしやすく、見た目も違和感がない。帯状物１５の長さ（タテ方向）は、１〜６ｃｍが好ましい。この長さが１ｃｍ以下であればティッシュペーパーやトイレットペーパーなどが保持されにくく、又その長さが６ｃｍ以上であるとショーツを汚す可能性がある。
【００２２】
このような帯状部１５は、クロッチ部３が一枚の布帛からなる一重構造のもの、又外側布帛と内側布帛とからなる二重構造のものに縫製して取り付けることができる。
【００２３】
ペーパーを収容する収容部は、例えば、次のようにして形成することもできる。即ち、クロッチ部の肌と接する内面に帯状物を縫製し、この帯状物の臀部側にスリットを設けるようにしてもよい（又は、スリットを形成した帯状部をクロッチ部の内面に縫製するようにしてもよい）。帯状物はクロッチ部と同型サイズで、クロッチ部の幅（ヨコ方向）、長さ（タテ方向）ともに同等であるが、必ずしも同等と限定する物ではない。同等の幅の方が縫製もしやすく、見た目も違和感がない。又、この帯状物のスリットの取り付け位置は、図１の上述同様とする。
【００２４】
本発明のショーツは、丸編み機で一体編成した筒状編地から形成したものや、前身頃、後見頃、クロッチ部を各別に裁断し縫製した後で、クロッチ部にスリットを入れても良い。又、クロッチ部にスリットを入れた後、縫製しても良い。
【００２５】
丸編み機で一体編成した筒状編地から形成したものや、前身頃、後見頃、クロッチ部、各別に裁断し縫製した後で、帯状物（収容部）を縫製しても良いし、前身頃、後見頃、クロッチ部、帯状物（収容部）各別に裁断し同時に縫製しても良い。
【００２６】
又ショーツ布地は、肌触り、吸湿性等から綿、レーヨン（ポリノジックを含む）等セルロース繊維単独又は混繊維して得られる紡績糸を用いた編地でも、ポリウレタン弾性糸に綿、ナイロン（商標）、レーヨン、ポリエステル糸等を加えた伸縮性の良い編成地でも良い。編成組織は必要に応じて種々選択可能である。又収容部生地はショーツ生地と同等でも、異なっても良いが、伸縮性のあるほうが好ましい。
【図面の簡単な説明】
【００２７】
【図１】本発明に従う婦人用ショーツの第１の実施形態を展開して示す展開図である。
【図２】本発明に従う婦人用ショーツの第１の実施形態を展開して示す部分展開図である。
【符号の説明】
【００２８】
１：ショーツ前身頃
２：ショーツ後見頃
３：股下部クロッチ部
４：スリット（開口部）
５：帯状物（収容部）
６：股下部前端縁
７：股下部後端縁
８：あしぐり部
９：あしぐり部
１０：ペーパー
１１：クロッチ部内側布帛
１２：一縁開口部
１５：帯状物
【図１】
2005168651.tif 000003
【図２】
2005168651.tif 000004
【手続補正書】
【提出日】平成17年1月5日(2005.1.5)
【手続補正１】
【補正対象書類名】図面
【補正対象項目名】全図
【補正方法】変更
【補正の内容】
【図１】
2005168651.tif 000005
【図２】
2005168651.tif 000006